(57)【要約】【課題】シュリンクラベルを利用することによってセキュリティ機能および表示機能を強化することのできる蓋付き容器を提供する。【解決手段】飲料を充填したペットボトル１５と、ペットボトル１５の先端開口部に着脱自在に設けられたキャップ１４と、キャップ１４を保護するためにペットボトル１５に着脱自在に設けられた外キャップ１３と、キャップ１４および外キャップ１３を付けた状態で、ペットボトル１５の周面と外キャップ１３の周面および端面を被覆するシュリンクラベル１１ａ、１１ｂと、を備え、シュリンクラベル１１ａ、１１ｂの表示面の全域にわたって電車の車両の図を印刷する。【選択図】図２
2010168070.tif 000002
【特許請求の範囲】
【請求項１】
容器と、前記容器の開口部に着脱自在に設けられた蓋と、前記蓋を保護するために前記容器に着脱自在に設けられた保護蓋と、前記容器に前記蓋および前記保護蓋を付けた状態で、前記容器および前記保護蓋を被覆する薄膜と、を備え、
前記薄膜に情報を印刷することを特徴とする蓋付き容器。
【請求項２】
容器と、前記容器の開口部に着脱自在に設けられた蓋と、前記蓋を保護するために前記容器に着脱自在に設けられた保護蓋と、前記容器を被覆する薄膜と、を備え、
前記薄膜および前記保護蓋に情報を印刷することを特徴とする蓋付き容器。
【請求項３】
前記容器の周面と前記保護蓋の周面とが略同一面であることを特徴とする請求項１又は請求項２に記載の蓋付き容器。
【発明の詳細な説明】
【技術分野】
【０００１】
本発明は、蓋を保護するための保護蓋を有する蓋付き容器に関するものである。
【背景技術】
【０００２】
従来の蓋付き容器には、セキュリティ機能を向上させるため、容器（例えば、ペットボトル）の上部にコップ状の容器をさらに備えたものがある（例えば、特許文献１参照）。この構成によれば、コップ状の容器によってペットボトルの蓋が覆われているので、蓋を外す前にコップ状の容器を外す必要がある。したがって、ペットボトルに飲料等を充填して陳列、販売する場合、例えば、蓋を外して異物を混入する行為を抑止する効果がある。なお、ペットボトル内の飲料をコップ状の容器に注いで飲むこともできるので、コップを別途用意する場合に比べ、経済性および利便性も増すことになる。
【先行技術文献】
【特許文献】
【０００３】
【特許文献１】特開２００１−４８１８０号公報
【発明の概要】
【発明が解決しようとする課題】
【０００４】
しかしながら、従来の蓋付き容器においては、セキュリティ機能は向上したものの、コップ状の容器を利用して商品情報等の表示機能を強化する点について配慮がなされていないという問題があった。
【０００５】
本発明は、従来の問題を解決するためになされたもので、シュリンクラベルを利用することによってセキュリティ機能および表示機能を強化することのできる蓋付き容器を提供することを目的とする。
【課題を解決するための手段】
【０００６】
本発明の蓋付き容器は、容器と、前記容器の開口部に着脱自在に設けられた蓋と、前記蓋を保護するために前記容器に着脱自在に設けられた保護蓋と、前記容器に前記蓋および前記保護蓋を付けた状態で、前記容器および前記保護蓋を被覆する薄膜と、を備え、前記薄膜に情報を印刷することに特徴がある。
【０００７】
この構成によれば、蓋（例えば、ペットボトルのキャップ）を保護するための保護蓋（例えば、外キャップ）を設け、さらに保護蓋を薄膜で被覆することにより、蓋付き容器（例えば、ペットボトル）のセキュリティ機能を強化することができる。また、容器および保護蓋を被覆する薄膜（例えば、シュリンクラベル）の略全域（容器の周面、保護蓋の周面および端面を覆う部分）にわたって情報（写真、絵図、文字、バーコード等を含む）を印刷することにより、商品情報や販促情報の表示機能を強化することができる。
【０００８】
また、本発明の蓋付き容器は、容器と、前記容器の開口部に着脱自在に設けられた蓋と、前記蓋を保護するために前記容器に着脱自在に設けられた保護蓋と、前記容器を被覆する薄膜と、を備え、前記薄膜および前記保護蓋に情報を印刷することに特徴がある。
【０００９】
この構成によれば、蓋（例えば、ペットボトルのキャップ）を保護するための保護蓋（例えば、外キャップ）を設けることにより、蓋付き容器（例えば、ペットボトル）のセキュリティ機能を強化することができる。また、容器を被覆する薄膜（例えば、シュリンクラベル）と、保護蓋の周面および端面に情報（写真、絵図、文字、バーコード等を含む）を印刷することにより、商品情報や販促情報の表示機能を強化することができる。この場合、ペットボトルの本体と保護蓋とを別々に作製し、情報を組立てることによって、シュリンクラベルおよび保護蓋の印刷情報の組合せを容易に変更することができる。
【００１０】
さらに、本発明の蓋付き容器においては、前記容器の周面と前記保護蓋の周面とが略同一面であることに特徴がある。
【００１１】
この構成によれば、薄膜で覆われる面が連続して滑らかであるため、広くて見易い表示面（印刷面）が得られる。
【発明の効果】
【００１２】
本発明は、蓋を保護するための保護蓋を設け、さらに容器に前記蓋および前記保護蓋を付けた状態で、前記容器および前記保護蓋を薄膜で被覆することにより、前記容器のセキュリティ機能および表示機能を強化することができるという効果を有する蓋付き容器を提供するものである。
【図面の簡単な説明】
【００１３】
【図１】本発明の実施の一形態の外キャップ付きペットボトルの断面図である。
【図２】本発明の実施の一形態の外キャップ付きペットボトルの斜視図である。
【図３】本発明の実施の一形態の外キャップ付きペットボトルの側面図である。
【図４】本発明の実施の一形態の外キャップ付きペットボトル（陳列時）の斜視図である。
【図５】本発明の他の実施の形態の外キャップ付きペットボトルの断面図である。
【図６】本発明の他の実施の形態の外キャップ取付け部分の断面図である。
【図７】本発明の他の実施の形態の外キャップ付きペットボトルの斜視図である。
【図８】本発明の他の実施の形態の外キャップ付きペットボトル（工作物）の斜視図である。
【発明を実施するための形態】
【００１４】
以下、本発明の蓋付き容器の実施の一形態としての外キャップ付きペットボトルについて、図面を用いて説明する。
【００１５】
本発明の実施の一形態としての外キャップ付きペットボトルを図１〜図４に示す。
【００１６】
図１、図２に示すように、外キャップ付きペットボトル１は、飲料用のペットボトル１５の上部の溝状の凹部１５ｃに外キャップ１３の凸部１６が嵌合され、ペットボトル１５の一部周面と外キャップ１３の周面および端面が、シュリンクラベル１１ａ、１１ｂ（図１では省略）で被覆されたものである。
【００１７】
ペットボトル１５は、外キャップ１３に覆われていない部分（前記一部周面に相当する）が略直方体に形成されている。
【００１８】
外キャップ１３は、略直方体のペットボトル１５に嵌合するよう、ＰＥＴよりも軟質のプラスチックで略枡型に形成されている。
【００１９】
シュリンクラベル１１ａ、１１ｂは、二軸延伸ＯＰＳフィルム、ＰＥＴフィルム、ＰＰフィルム、ＰＥフィルム、発泡ＰＰフィルム等で形成されている。シュリンクラベル１１ａ、１１ｂにはミシン目入れ加工が施され、外キャップ１３を外したときにミシン目１２で２つに分離するようになっている。したがって、シュリンクラベル１１ａ、１１ｂが分離していれば、外キャップ１３が開けられたものと判断することができる。
【００２０】
キャップ１４は、ＰＥＴよりも軟質のプラスチックで形成され、所定の方向に回すことによってペットボトル１５の接続部１５ａと分離可能となっている。したがって、キャップ１４と接続部１５ａとが分離していれば、キャップ１４が開けられたものと判断できる。
【００２１】
図２に示すように、シュリンクラベル１１ａ、１１ｂの表面には電車の図が全域にわたって印刷されている。ここでは、ペットボトル１５の販促情報（例えば、鉄道に係るキャンペーン、協賛に関するもの）として電車の車両の図を用いている。外キャップ１３が嵌合された状態で、外キャップ付きペットボトル１の外形は略直方体となるため、外キャップ付きペットボトル１によって電車の車体を表現し、販促情報を訴求するのに好適である。販売時に陳列する場合においても、従来のペットボトルのように縦置きせず、横置きにするか、横置きにして積み上げることにより（図４参照）、訴求力の強化が期待される。図４は、２つの外キャップ付きペットボトル１ｂ、１ｃを横置きにして並べ、その上に１つの外キャップ付きペットボトル１ａを積載した場合を示している。
【００２２】
なお、外キャップ付きペットボトル１を製造する場合、例えば、飲料の入ったペットボトル１５と外キャップ１３とを組立て、一方でシュリンクラベル１１ａ、１１ｂの印刷およびミシン目入れ加工を行い、組立後の外キャップ付きペットボトルをミシン目入りのシュリンクラベルによって被覆する。
【００２３】
以上のように構成された外キャップ付きペットボトル１内の飲料を飲用する場合、まず、図３に示すように、外キャップ１３を引き外す。このとき、ミシン目１２によってシュリンクラベル１１ａとシュリンクラベル１１ｂとが分離するため、ペットボトル１５の周面（側面）にはシュリンクラベル１１ｂが残る。さらに、キャップ１４を回してキャップ１４と接続部１５ａとを分離し、ペットボトル１５の開口部（注ぎ口）から飲料を飲用する。この後、空になったペットボトル１５に外キャップ１３を再び嵌合すると、シュリンクラベル１１ａとシュリンクラベル１１ｂとが接するため、使用前の外観（図２参照）を呈することになる。
【００２４】
このような本発明の実施の一形態としての外キャップ付きペットボトル１によれば、キャップ１４を保護するための外キャップ１３を設け、さらに外キャップ付きペットボトル１の周面および端面を覆うシュリンクラベル１１ａ、１１ｂを設けたことにより、ペットボトル１５のセキュリティ機能を強化することができる。例えば、悪戯のためにキャップ１４を開ける行為を抑制し、あるいはキャップ１４の耐衝撃性を高めることができる。
【００２５】
また、本実施の形態によれば、シュリンクラベル１１ａ、１１ｂの略全域（外キャップ付きペットボトル１の周面および端面）にわたって、ペットボトル１５の販促情報としての電車の車両の図を印刷することにより、販促情報の訴求力を強化することができる。なお、訴求力のある電車の車両の図を印刷することで、空のペットボトル１５の持ち帰りを促進することも期待される。
【００２６】
また、本実施の形態によれば、シュリンクラベル１１ａ、１１ｂに覆われたペットボトル１５の一部周面と外キャップ１３の周面とが略同一面を形成するので、シュリンクラベル１１ａ、１１ｂの表面に広くて見易い表示（印刷）を行うことができる。
【００２７】
なお、上述した実施の形態では、ペットボトル１５の一部（下部）を略直方体とした場合について説明したが、本発明はこの他に、ペットボトル１５の一部を円筒としても同様の効果が得られるものである。この場合、外キャップ１３をコップ状の中空円筒とすることにより、滑らかな曲周面が得られ、シュリンクラベル１１ａ、１１ｂに見易い表示を行うことができる。
【００２８】
また、上述した実施の形態では、外キャップ１３を枡型とした場合について説明したが、本発明はこの他に、外キャップ付きペットボトル１の周面および端面に表示される訴求対象（例えば、自動車、放送用のタワー、テナントビル、各種の催し物）に応じ、中空の四角錐、円錐、球、などとしても同様の効果が得られるものである。
【００２９】
例えば、ペットボトル１５に入った飲料が生姜風味であることを訴求するため、外キャップ１３を生姜に似せて形成してもよい。あるいは、ペットボトル１５に入った飲料を生産、販売する企業を訴求するため、外キャップ１３を企業の立体商標や企業を表す物体（例えば、アイスクリーム、コーヒーカップ）として形成してもよい。
【００３０】
さらに、外キャップ１３に飲料の販促用あるいは企業宣伝用の景品等を収容するようにしてもよい。この場合、景品等を外キャップ付きペットボトル１に外付けした場合に比べ、景品等が故意に取外されるのを抑制することができる。あるいは、外キャップ１３を透明又は半透明に形成して収容物を外から視認可能としてもよい。この場合、景品等の訴求力を高めることができる。
【００３１】
また、上述した実施の形態では、販売時の陳列例（図４参照）を示したが、本発明はこの他に、空のペットボトル１５を用いて工作を行うことができるようにしてもよい。例えば、図５に示すように、ペットボトル１５の後端（下端）にネジ溝を有する凹部１５ｂを形成し、他のペットボトル１５´の先端（上端）の開口部の凸部（ネジ部）が接続可能なようにする。この場合、空のペットボトル１５、１５´を接続することにより、複数の車両が連結された電車の模型を作製することができる（図８参照）。したがって、空のペットボトル１５の再利用を促進し、家庭ごみの減量に寄与することになる。なお、作製した模型を展示するための展示台等を販促用の景品として提供するようにしてもよい。
【００３２】
また、上述した実施の形態では、外キャップ１３をペットボトル１５の上部に嵌合する場合について説明したが、本発明はこの他に、図６に示すようにペットボトル１５の接続部１５ａの付近に嵌合するようにしてもよい。この場合、ペットボトル１５と外キャップ１３の接触部がより滑らかになり、見易い表示を行うことができる。さらに、ペットボトル１５の上部にネジ溝（螺旋状の凹部）を形成すると共に、外キャップ１３に螺旋状の凸部を形成してもよい。この場合、外キャップ１３を回して外すことになり、シュリンクラベル１１ａとシュリンクラベル１１ｂとの分離がさらに容易になる。
【００３３】
また、上述した実施の形態では、外キャップ１３およびペットボトル１５（外キャップ１３で覆われた部分以外）をシュリンクラベル１１ａ、１１ｂで被覆する場合について説明したが、本発明はこの他に、図７に示すように、外キャップ１７に直接、電車の車両の画を印刷し、ペットボトル１５（外キャップ１３で覆われた部分以外）のみをシュリンクラベル１１ｂで被覆するようにしてもよい。このような外キャップ付きペットボトル１を製造する場合、例えば、ペットボトル１５と外キャップ１７とを別々に製造し、ペットボトル１５をシュリンクラベル１１ｂで被覆すると共に、外キャップ１７の周面および端面に電車の車両の画を印刷し、双方を組合せる。ペットボトル１５と外キャップ１７とを別々に製造することにより、シュリンクラベル１１ｂの印刷情報（例えば、後部車両の画）を同一にし、訴求対象に応じて外キャップ１７の印刷情報（例えば、先頭車両の画）のみを変更することができる。したがって、例えば、電車の車両に関する多様な注文に対して柔軟に対応することができる。
【００３４】
なお、外キャップ１７の周面および端面を立体的に成型し（例えば、車窓、扉、照明等の凹凸を形成し）、印刷又は彩色するようにしてもよい。この構成により、さらに訴求力を高めることができる。
【００３５】
さらに、図８に示すように、空になった複数の外キャップ付きペットボトル１ｄ、１ｅ、１ｆを連結して工作物（列車模型）を作製することもできる。この場合、ボトル間の連結は、ペットボトル１５の後端の凹部１５ｂと、他のペットボトル１５´の先端の開口部の凸部と、を接続して行うようにしている（図５参照）。また、先頭の外キャップ付きペットボトル１ｄの外キャップ１７ｄは、そのまま用い、他の外キャップ１７ｅ、１７ｆは端面および周面の一部を除去して用いている。
【００３６】
さらに、上述した実施の形態に限らず、ペットボトル１５の周面に所定の物品の収納に適した凹部を形成してもよい。この場合、シュリンクラベル１１ａ、１１ｂの滑らかな表示面は縮小するが、空のペットボトル１５を物品の収納に再利用（転用）することで家庭ごみの減量に寄与する。また、空のペットボトル１５内部に光源を入れることにより、照明として用いることもできる。
【産業上の利用可能性】
【００３７】
本願発明は、飲料用のペット（ＰＥＴ）ボトルに限らず、他の食品（例えば、菓子）用のペット容器、特別に成型したペット容器、缶等に利用可能である。
【符号の説明】
【００３８】
１、１ａ、１ｂ、１ｃ  外キャップ付きペットボトル（蓋付き容器）
１１ａ、１１ｂ  シュリンクラベル（薄膜）
１３、１７、１８  外キャップ（保護蓋）
１４  キャップ（蓋）
１５、１５´  ペットボトル（容器）
１５ａ  接続部
１５ｂ  凹部
１５ｃ  凹部
１６  凸部
【図１】
2010168070.tif 000003
【図２】
2010168070.tif 000004
【図３】
2010168070.tif 000005
【図４】
2010168070.tif 000006
【図５】
2010168070.tif 000007
【図６】
2010168070.tif 000008
【図７】
2010168070.tif 000009
【図８】
2010168070.tif 000010